(57)【要約】【課題】湿気及びほこりのファン内部構造への侵入を防止するファンモーター構造及びそのファンの提供。【解決手段】ベース11、ハウジング12、固定子ユニット13からなり、ベース11には軸筒111を直立して設置し、ハウジング12は密閉空間121を備え、ハウジング12は軸筒111外部に嵌めて設置し、固定子ユニット13はハウジング12の密閉空間121内に設置し、防水及び防塵機能を備えたファンモーター構造のファンは枠体16、ベース11、ハウジング12、固定子ユニット13、ローターユニット17からなり、枠体16は複数の延伸端1112を通してベース11と連接し、ローターユニット17はベアリング14と可動状態で接続してモーター構造が湿気及びほこりの影響で壊れることを防止する。【選択図】図３
0003165612.tif 000002
【実用新案登録請求の範囲】
【請求項１】
防水及び防塵機能を備えたファンモーター構造であって、
ファンモーターの基部となるベース、環状の内周壁及び同じく環状の外周壁との間に環状の密閉空間を備えるハウジング、モーター固定子ユニットからなり、
該ベースには、ファンを具えたローターユニットの回転軸棒を回転可能に支持する軸筒を直立して設置し、
該ハウジングは、その環状内周壁を軸筒外部に嵌めて設置して、前記ベースとの間に密閉空間を形成し、
該固定子ユニットは、該密閉空間内に設置することを特徴とする防水及び防塵機能を備えたファンモーター構造。
【請求項２】
前記ハウジングはさらに、環状の内周壁及び同じく環状の外周壁とその上面を閉鎖する頂部とによってカバー部を構成すると共に、下方の環状の開放部を閉塞する封鎖部を備え、前記ベース上に配置した閉鎖部と該カバー部とにより一体に該密閉空間を区画することを特徴とする請求項１に記載の防水及び防塵機能を備えたファンモーター構造。
【請求項３】
前記固定子ユニットはさらに、複数の電磁鋼板片を備え、
該電磁鋼板片外には、複数のコイルが巻きつき、
該固定子ユニット片側には、回路基板を対応して接続したことを特徴とする請求項１に記載の防水及び防塵機能を備えたファンモーター構造。
【請求項４】
前記カバー部は、頂点側、該頂点側から垂直に垂下する環状の外周面を形成する第一側、環状の内周面を形成する第二側とによって、中空環状の内部空間を形成し
ファンモーターの基部を構成するベースとの間に、これ等の環状内部空間に前記固定子を収容する該密閉空間を区画することを特徴とする請求項２に記載の防水及び防塵機能を備えたファンモーター構造。
【請求項５】
前記軸筒は、ファンを具えたローターユニットの回転軸棒を挿入して回転可能に支持する軸孔を備え、
該軸孔内には、少なくとも１個のベアリングを収容設置することを特徴とする請求項１に記載の防水及び防塵機能を備えたファンモーター構造。
【請求項６】
防水及び防塵機能を備えたファンモーター構造のファンであって、
ファンを具えたローターユニットを囲む枠体、軸筒を直立して設置するベース、モーターの固定子ユニットを収容する密閉空間を備えるハウジング、モーターの固定子ユニット、該固定子ユニットに相対するローターユニットからなり、
該軸筒内には、少なくとも１個のベアリングを設置すると共に、該軸筒外縁から複数の延伸端を延伸して該枠体を連接して結合し、
該ハウジングは、該固定子ユニットを収容する環状の密閉空間を具えて、その環状の内壁面を該軸筒外部に嵌めて設置し、
該固定子ユニットは、該密閉空間内に設置し、
該ローターユニットは、その軸棒をハウジング上方から該該軸筒に挿入して該ベアリングにより回転可能に支持することを特徴とする防水及び防塵機能を備えたファンモーター構造のファン。
【請求項７】
前記ハウジングは、環状の固定子を覆うカバー部及び該固定子を収容したカバー部下方を閉鎖する封鎖部を備え、
該カバー部及び該封鎖部を結合して一体として該密閉空間を区画することを特徴とする請求項６に記載の防水及び防塵機能を備えたファンモーター構造のファン。
【請求項８】
前記固定子ユニットはさらに、複数の電磁鋼板片を積層してなり、
該電磁鋼板片外には、複数のコイルが巻き付き、
該固定子ユニット片側には、回路基板を対応して接続したことを特徴とする請求項６に記載の防水及び防塵機能を備えたファンモーター構造のファン。
【請求項９】
前記カバー部は、頂点側から環状に垂下する外周壁面となる第一側、同じく環状に垂下して環状の内周壁面となる第二側を該頂点側から接続して形成して、これ等により環状の収容空間を形成し、
該頂点側に相対する開放側を、該ベースに相対して結合して一体となった該密閉空間を区画することを特徴とする請求項７に記載の防水及び防塵機能を備えたファンモーター構造のファン。
【請求項１０】
前記ローターユニットは、回転軸心となる軸棒、ファン羽を外周面に配置したホイールハブを備え、
該軸棒一端は、該軸筒内に挿入して該ベアリングにより回転可能に支持し、
該軸棒反対端は、該ホイールハブに連接し、該ホイールハブ外部周には、複数のファンブレードを備え、その内部には、前記固定子に相対して磁性体を環状に設置したことを特徴とする請求項６に記載の防水及び防塵機能を備えたファンモーター構造のファン。
【考案の詳細な説明】
【技術分野】
【０００１】
本考案は、防水及び防塵機能を備えたファンモーター構造及びそのファンに関し、特に湿気及びほこりによるファン内部構造への破壊を防止可能な防水及び防塵機能を備えたファンモーター構造及びそのファンに関する。
【背景技術】
【０００２】
ファン装置は、発熱部品に対して強制的に放熱を行うためには最良の方法で、しかも放熱効果も優れている。
該ファン装置は、ファン枠、固定子、ローターからなる。
該固定子及び該ローターは、該ファン枠内に設置し、該固定子は、コイル、電磁鋼板片ユニット、サポートフレームを備える。
さらに、回路板を連接し、これにより該固定子と該ローターは磁界を発生する。
こうして該ローターは回転動するが、該各固定子及び回路板は、空気と直接接触するため、空気中の湿気及びほこりの侵入を受け、部品が壊れ、作動しなくなる恐れがある。
【０００３】
上記した問題に鑑み、固定子表面に防護層を設置し、固定子と空気とを隔離して、防水と防塵の効果を達成した構造も開発されたが、やはり以下に記すような欠点が存在する。
1．固定子が生じる熱は、防護層内に完全にこもり、外界へと伝えられないため放熱できず、固定子が過熱して、作動を停止し、深刻な場合には損壊してしまう。
2．防護層は固定子ユニット外部を覆うため、もし固定子ユニットが損壊しても交換することはできない。
本考案は、従来の防水及び防塵機能を備えたファンの上記した欠点に鑑みてなされたものである。
【先行技術文献】
【特許文献】
【０００４】
【特許文献１】特開２００５−５１０８５号公報
【考案の概要】
【考案が解決しようとする課題】
【０００５】
本考案が解決しようとする第一の課題は、湿気及びほこりによる破壊を防止可能なモーター構造を提供することである。
本考案が解決しようとする第二の課題は、湿気及びほこりによるファン内部モーター構造の破壊を防止可能なファンを提供することである。
【課題を解決するための手段】
【０００６】
上記課題を解決するため、本考案は下記の防水及び防塵機能を備えたファンモーター構造及びそのファンを提供する。
防水及び防塵機能を備えたファンモーター構造は、ベース、ハウジング、固定子ユニットからなり、
該ベースには、軸筒を直立して設置し、
該ハウジングは、密閉空間を備え、該ハウジングは、その環状の内周壁面を該軸筒外部に嵌めて設置し、
該固定子ユニットは、該密閉空間内に設置し、
防水及び防塵機能を備えたファンモーター構造のファンは、枠体、ベース、ハウジング、固定子ユニット、ローターユニットからなり、
該枠体は、該複数の延伸端を通して該ベースと連接し、
該ローターユニットは、該ベアリングと可動状態で接続し、
防水及び防塵機能を備えたファンモーター構造により、モーター構造が湿気及びほこりの影響で壊れることを防止し、さらに該ハウジングの設計により、固定子ユニット構成部材は、修理、交換が可能となり、歩留まりを高めることができ、コストを引き下げることができる。
【考案の効果】
【０００７】
本考案の防水及び防塵機能を備えたファンモーター構造及びそのファンは、モーター構造が湿気及びほこりの影響で壊れることを防止し、さらにハウジングの設計により、固定子ユニット構成部材は、修理、交換が可能となり、歩留まりを高めることができ、コストを引き下げることができる。
【図面の簡単な説明】
【０００８】
【図１】本考案第一実施例の分解断面図である。
【図２】本考案第一実施例組合せ断面図である。
【図３】本考案第二実施例の分解剖面図である。
【図４】本考案第二実施例の分解剖面図である。
【考案を実施するための形態】
【０００９】
以下に図面を参照しながら本考案を実施するための最良の形態について詳細に説明する。
【実施例】
【００１０】
図１、２は、本考案第一実施例の分解図及び組合せ断面図である。
【００１１】
図に示すように、該防水及び防塵機能を備えたファンモーター構造は、軸筒111を直立して設置するベース11、固定子ユニットを収容する環状の密閉空間121を備えるハウジング12、該密閉空間121内に設置する環状の固定子ユニット13からなる。
【００１２】
該軸筒111は、軸孔1111を備え、該軸孔1111には、少なくとも１個のベアリング14を設置する。
【００１３】
該ハウジング12は、その環状の内壁を該軸筒111外部に嵌めて設置され、該ハウジング12はさらに、カバー部122及び封鎖部123を備える。
【００１４】
該カバー部122及び該封鎖部123は対応して接合し、一体として該密閉空間121を区画する。
【００１５】
該カバー部122は、頂点側1221、外側の第一側1222、内側の第二側1223を備え、これ等を該頂点側1221から垂下して設置し、該ベース11に向かい延伸する。
【００１６】
これら第一側1222、第二側1223、頂点側1221及びベース11に囲まれる密閉空間121を区画する。
【００１７】
該固定子ユニット13は、積層した電磁鋼板片131を備え、該電磁鋼板片131には、複数のコイル132が巻きつく。
【００１８】
該固定子ユニット13片側には、回路基板15を対応して接続する。
【００１９】
図３、４は、本考案第二実施例の分解図及び組合せ断面図である。
【００２０】
図に示すように、防水及び防塵機能を備えたファンモーター構造のファンは、ベース11、ハウジング12、固定子ユニット13、枠体16、ローターユニット17からなる。
【００２１】
本実施例の一部の部品及び部品間の対応関係は、第一実施例と共通するため、ここでは再記述を行わない。
【００２２】
本実施例と第一実施例との最も主要な差異について、以下に記載する。
【００２３】
本実施例の防水及び防塵機能を備えたファンモーター構造のファンは、該ベース11の軸筒111外縁に、複数の延伸端1112を延伸し、該枠体16を連接して、ファン枠フレーム2を形成し、該ローターユニット17は、該ベアリング14により回転可能に支持される。
【００２４】
該ローターユニット17は、軸棒171、ホイールハブ172を備える。
【００２５】
該軸棒171一端は、該軸筒111内に挿入して設置し、該ベアリング14に回転可能に支持される。
【００２６】
該軸棒171反対端は、該ホイールハブ172に連接し、該ホイールハブ172外部には、複数のファンブレード173を備え、その内部には、磁性体174を環状に設置する。
【００２７】
上記した第一、二実施例中において、該ハウジング12は、該固定子ユニット13及び該回路基板15を、その内部の密閉空間121に収容設置する。
【００２８】
これにより、外部の湿気及びほこりの、該固定子ユニット13構成部材及び回路基板15への侵入を防止することができる。
【００２９】
従来の技術は、プラスチック射出成型の方式を採用し、一体構造のプラスチック成形体により、該固定子ユニット13及び該回路基板15を完全に密封していたため、該固定子ユニット13及び該回路基板15を交換する必要がある時には、該固定子ユニット13及び該回路基板15外部のプラスチック外層を破壊して取り除く必要があり、操作が非常に不便であった。
【００３０】
しかも、プラスチック外層は、該固定子ユニット13及び該回路基板15外部を緊密に覆う方式で設置されていたため、熱がたまり易かった。
【００３１】
これに対して、本考案は、該ハウジング12により外をカバーする方式で、該固定子ユニット13及び該回路基板15を、該ハウジング12の密閉空間121内に収容設置し、しかも該ハウジング12は、カバー部122及び封鎖部123により組合せの方式で形成するため、使用者の操作によって、該封鎖部123を開き、或いは該密閉空間121を封鎖することができる。
【００３２】
よって、使用者は隨時該固定子ユニット13及び該回路基板15を交換することができる。
【００３３】
また、該固定子ユニット13及び該回路基板15は、該密閉空間121内に収容設置され、該ハウジング12に完全に密着する訳ではなく、なお間隙空間があるため、放射方式により、発生した熱を該ハウジング12へと発散し、該ハウジング12により外へと放熱することができる。
【００３４】
上記の本考案名称と内容は、本考案技術内容の説明に用いたのみで、本考案を限定するものではない。本考案の精神に基づく等価応用或いはいは部品（構造）の転換、置換、数量の増減はすべて、本考案の保護範囲に含むものとする。
【産業上の利用可能性】
【００３５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３６】
11  ベース
111  軸筒
1111  軸孔
1112  延伸端
12  ハウジング
121  密閉空間
122  カバー部
1221  頂点側
1222  第一側
1223  第二側
123  封鎖部
13  固定子ユニット
131  電磁鋼板片
132  コイル
14  ベアリング
15  回路基板
16  枠体
17  ローターユニット
171  軸棒
172  ホイールハブ
173  ファンブレード
174  磁性体
2  ファン枠フレーム
【図１】
0003165612.tif 000003
【図２】
0003165612.tif 000004
【図３】
0003165612.tif 000005
【図４】
0003165612.tif 000006